(57)【要約】【課題】ユーザによって個別に指定されることなく、非表示としたい部分を文書から削除することができる文書編集装置を提供する。【解決手段】文書編集装置２０は、複数の章および目次で構成された文書データを編集し、文書データを記憶する文書データ記憶部２４ａと、予め設定された編集項目を文書データから検出する検出部２５ａと、検出部２５ａの検出結果に基づいて、文書データを編集する編集処理を実施する編集部２５ｂとを備えている。編集部２５ｂは、検出部２５ａによって検出された編集項目を含む章を削除し、編集項目が削除された章に関連する項目を目次から削除する。【選択図】図２
2017062613.tif 000002
【特許請求の範囲】
【請求項１】
複数の章および目次で構成された文書データを編集する文書編集装置であって、
前記文書データを記憶する文書データ記憶部と、
予め設定された編集項目を前記文書データから検出する検出部と、
前記検出部の検出結果に基づいて、前記文書データを編集する編集処理を実施する編集部とを備え、
前記編集部は、前記検出部によって検出された編集項目を含む章を削除し、前記編集項目が削除された章に関連する項目を前記目次から削除すること
を特徴とする文書編集装置。
【請求項２】
請求項１に記載の文書編集装置であって、
前記編集項目は、文字列を含むこと
を特徴とする文書編集装置。
【請求項３】
請求項１または請求項２に記載の文書編集装置であって、
前記編集項目は、画像を含むこと
を特徴とする文書編集装置。
【請求項４】
請求項１から請求項３までのいずれか１つに記載の文書編集装置であって、
前記文書データは、予め設定されたサイズで区切られたページ単位で構成され、
前記編集部は、前記文書データを編集した際、白紙となったページを削除すること
を特徴とする文書編集装置。
【請求項５】
請求項４に記載の文書編集装置であって、
前記文書データは、順番を示すページ番号が付されており、
前記編集部は、前記文書データを編集した際にページを削除した場合、前記ページ番号を修正すること
を特徴とする文書編集装置。
【請求項６】
請求項１から請求項５までのいずれか１つに記載の文書編集装置であって、
前記文書データの文字を認識する文字認識部を備えていること
を特徴とする文書編集装置。
【請求項７】
請求項１から請求項６までのいずれか１つに記載の文書編集装置を備えた画像読取装置。
【請求項８】
請求項１から請求項６までのいずれか１つに記載の文書編集装置を備えた文書編集サーバであって、
ネットワークを介して接続された端末との間で前記文書データを送受信する通信部を備え、
前記編集部は、前記端末から受信した文書データに対し、前記編集処理を実施して編集済文書データを出力し、
前記通信部は、前記編集済文書データを前記端末へ送信すること
を特徴とする文書編集サーバ。
【請求項９】
複数の章および目次で構成された文書データを編集する文書編集方法であって、
文書データ記憶部に、前記文書データを記憶させる文書データ記憶ステップと、
検出部に、予め設定された編集項目を前記文書データから検出させる検出ステップと、
編集部に、前記検出部の検出結果に基づいて、前記文書データを編集する編集処理を実施させる編集ステップとを含み、
前記編集ステップは、前記検出部によって検出された編集項目を含む章を削除し、前記編集項目が削除された章に関連する項目を前記目次から削除すること
を特徴とする文書編集方法。
【請求項１０】
請求項９に記載の各ステップをコンピュータに実行させるための文書編集プログラム。
【発明の詳細な説明】
【技術分野】
【０００１】
本発明は、複数の章および目次で構成された文書データを編集する文書編集装置、画像読取装置、文書編集サーバ、文書編集方法、および文書編集プログラムに関する。
【背景技術】
【０００２】
近年、インターネット等の普及により、複数のユーザへ電子文書が配布される機会が増えている。この際、電子文書の内容に対して、機密を保持する必要性が生じていた。また、インターネット等で表示される電子文書においては、文書の内容とは別に、目次を備えたページ構成とされている場合があり、各ページに対してアクセス制限が設定されていることがある。このようなページ構成に対しては、ユーザがアクセス制限されているページを表示した際に、初めて、アクセス制限されていることを知るのではなく、ページを表示する要求を出す前に、アクセス権の有無を確認する技術が提案されている（例えば、特許文献１参照。）。さらに、ＷＷＷブラウザにおいては、青少年に有害なページ等も存在し、これらの表示を制限する技術も提案されている（例えば、特許文献２参照。）。
【先行技術文献】
【特許文献】
【０００３】
【特許文献１】特開２００５−１７４１２３号公報
【特許文献２】特開平１０−４０１５６号公報
【発明の概要】
【発明が解決しようとする課題】
【０００４】
特許文献１に記載の表示システムは、ユーザ認証を行う認証手段と、暗号化文書に対するアクセス権を判定する判定手段と、暗号化文書を複合するための鍵情報を取得する取得手段と、暗号化文書の目次情報を生成する生成手段と、目次情報を表示する表示手段とを備えている。上述した表示システムでは、予めページ毎にアクセス権を設定する必要があり、ユーザの利便性が損なわれていた。
【０００５】
特許文献２に記載のＷＷＷブラウザ表示ページ制御方式は、表示ページのテキストデータを抽出し、このテキストデータを、設定されたキーワードと比較照合し、キーワードと一致するテキストデータが存在した場合には、表示を制限する。上述したＷＷＷブラウザ表示ページ制御方式では、キーワードと一致するテキストが存在した場合、エラーを表示する。しかしながら、この方式では、エラーが表示されるだけで、問題が無い部分のテキストが表示されないという課題がある。
【０００６】
本発明は、上記の課題を解決するためになされたものであり、ユーザによって個別に指定されることなく、非表示としたい部分を文書から削除することができる文書編集装置、画像読取装置、文書編集サーバ、文書編集方法、および文書編集プログラムを提供することを目的とする。
【課題を解決するための手段】
【０００７】
本発明に係る文書編集装置は、複数の章および目次で構成された文書データを編集する文書編集装置であって、前記文書データを記憶する文書データ記憶部と、予め設定された編集項目を前記文書データから検出する検出部と、前記検出部の検出結果に基づいて、前記文書データを編集する編集処理を実施する編集部とを備え、前記編集部は、前記検出部によって検出された編集項目を含む章を削除し、前記編集項目が削除された章に関連する項目を前記目次から削除することを特徴とする。
【０００８】
本発明に係る文書編集装置では、前記編集項目は、文字列を含む構成としてもよい。
【０００９】
本発明に係る文書編集装置では、前記編集項目は、画像を含む構成としてもよい。
【００１０】
本発明に係る文書編集装置では、前記文書データは、予め設定されたサイズで区切られたページ単位で構成され、前記編集部は、前記文書データを編集した際、白紙となったページを削除する構成としてもよい。
【００１１】
本発明に係る文書編集装置では、前記文書データは、順番を示すページ番号が付されており、前記編集部は、前記文書データを編集した際にページを削除した場合、前記ページ番号を修正する構成としてもよい。
【００１２】
本発明に係る文書編集装置では、前記文書データの文字を認識する文字認識部を備えている構成としてもよい。
【００１３】
本発明に係る画像読取装置は、本発明に係る文書編集装置を備えていることを特徴とする。
【００１４】
本発明に係る文書編集サーバは、本発明に係る文書編集装置と、ネットワークを介して接続された端末との間で前記文書データを送受信する通信部とを備え、前記編集部は、前記端末から受信した文書データに対し、前記編集処理を実施して編集済文書データを出力し、前記通信部は、前記編集済文書データを前記端末へ送信することを特徴とする。
【００１５】
本発明に係る文書編集方法は、複数の章および目次で構成された文書データを編集する文書編集方法であって、文書データ記憶部に、前記文書データを記憶させる文書データ記憶ステップと、検出部に、予め設定された編集項目を前記文書データから検出させる検出ステップと、編集部に、前記検出部の検出結果に基づいて、前記文書データを編集する編集処理を実施させる編集ステップとを含み、前記編集ステップは、前記検出部によって検出された編集項目を含む章を削除し、前記編集項目が削除された章に関連する項目を前記目次から削除することを特徴とする。
【００１６】
本発明に係る文書編集プログラムは、本発明に係る文書編集方法の各ステップをコンピュータに実行させることを特徴とする。
【発明の効果】
【００１７】
本発明によると、編集したい項目が設定されていれば、ユーザによって個別に指定されることなく、非表示としたい部分を文書から削除することができる。
【図面の簡単な説明】
【００１８】
【図１】本発明の実施の形態に係る画像形成装置の概略側面図である。
【図２】本発明の実施の形態に係る文書編集装置の概略構成図である。
【図３】文書データの一例である第１文書データを示す説明図である。
【図４】文書データの一例である第２文書データを示す説明図である。
【図５】文書データの一例である第３文書データを示す説明図である。
【図６】文書データの一例である第４文書データを示す説明図である。
【図７】文書編集装置における文書編集方法の処理フローを示すフロー図である。
【図８】ネットワークを介して複数の端末に接続されたサーバを示す概略構成図である。
【発明を実施するための形態】
【００１９】
以下、本発明の実施の形態に係る画像形成装置について、図面を参照して説明する。
【００２０】
図１は、本発明の実施の形態に係る画像形成装置の概略側面図である。
【００２１】
画像形成装置１００は、スキャナ機能、複写機能、プリンタ機能、およびファクシミリ機能等を有する複合機であり、画像読取装置９０によって読み取られた原稿の画像を外部に送信し（スキャナ機能に相当する）、読み取られた原稿の画像または外部から受信した画像をカラーもしくは単色で用紙に画像形成する（複写機能、プリンタ機能、およびファクシミリ機能に相当する）。
【００２２】
画像読取装置９０の上側には、画像読取装置９０に対して開閉自在に支持された用紙搬送装置１２０（ＡＤＦ）が設けられている。画像読取装置９０は、光源や画像撮像素子等で構成された画像読取部９３を備えており、原稿の画像を読み取って、文書データＢＤを生成する。生成された文書データＢＤは、文書データ記憶部２４ａ（後述する図２参照）に記憶される。なお、文書データＢＤについては、後述する図３を参照して、詳細に説明する。用紙搬送装置１２０が開かれると、画像読取装置９０の上方の原稿載置台９２が開放され、原稿（用紙）を手置きで置くことができるようになっている。また、用紙搬送装置１２０は、載置された原稿を画像読取装置９０の上に自動で搬送する。画像読取装置９０は、載置された原稿または用紙搬送装置１２０から搬送された原稿を読み取って画像データを生成する。
【００２３】
画像形成装置１００は、露光装置１、現像装置２、感光体ドラム３、クリーナ装置４、帯電器５、中間転写ベルト装置６、定着装置７、給紙トレイ８１、手差しトレイ８２、排紙トレイ９１、および用紙搬送経路Ｓを備える構成とされており、外部から伝達された画像データに応じて、所定の用紙に対して多色及び単色の画像を形成する。
【００２４】
画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像装置２、感光体ドラム３、帯電器５、クリーナ装置４は、各色に応じた４種類の潜像を形成するようにそれぞれ４個ずつ設けられ、それぞれブラック、シアン、マゼンタ、イエローに設定され、これらによって４つの画像ステーションが構成されている。
【００２５】
感光体ドラム３は、画像形成装置１００の略中央に配置されている。帯電器５は、感光体ドラム３の表面を所定の電位に均一に帯電させる。露光装置１は、感光体ドラム３の表面を露光して静電潜像を形成する。現像装置２は、感光体ドラム３の表面の静電潜像を現像して、感光体ドラム３の表面にトナー像を形成する。上述した一連の動作によって、各感光体ドラム３の表面に各色のトナー像が形成される。クリーナ装置４は、現像および画像転写の後に感光体ドラム３の表面の残留トナーを除去および回収する。
【００２６】
中間転写ベルト装置６は、感光体ドラム３の上側に配置され、中間転写ベルト６１、中間転写ベルト駆動ローラ６２、中間転写ベルト従動ローラ６３、中間転写ローラ６４、および中間転写ベルトクリーニング装置６５を備えている。なお、中間転写ローラ６４は、ＹＭＣＫ用の各色の画像ステーションに対応して４本設けられている。
【００２７】
中間転写ベルト駆動ローラ６２、中間転写ベルト従動ローラ６３、および中間転写ローラ６４は、中間転写ベルト６１を張架して、中間転写ベルト６１の表面を所定方向（図中矢符Ｄ方向）に移動させるように構成されている。
【００２８】
中間転写ベルト６１は、矢符Ｄの方向へ周回移動し、中間転写ベルトクリーニング装置６５によって残留トナーを除去および回収され、各感光体ドラム３の表面に形成された各色のトナー像が順次転写して重ね合わされて、中間転写ベルト６１の表面にカラーのトナー像が形成される。
【００２９】
画像形成装置１００は、転写ローラ１０ａを含む２次転写装置１０をさらに備えている。転写ローラ１０ａは、中間転写ベルト６１との間にニップ域が形成されており、用紙搬送経路Ｓを通じて搬送されて来た用紙をニップ域に挟み込んで搬送する。用紙は、ニップ域を通過する際に、中間転写ベルト６１の表面のトナー像が転写される。
【００３０】
給紙トレイ８１は、画像形成に使用する用紙を蓄積しておくためのトレイであり、露光装置１の下側に設けられている。手差しトレイ８２は、画像形成装置１００の側面に開閉自在に設けられ、開放することで画像形成に使用する用紙を載置できるトレイである。また、排紙トレイ９１は、画像形成装置１００の上側に設けられており、画像形成済みの用紙を載置するためのトレイである。
【００３１】
用紙搬送経路Ｓは、Ｓ字状に設けられた主経路Ｓ１と、主経路Ｓ１の途中で分岐して再合流する反転経路Ｓ２とを備え、主経路Ｓ１に沿って、ピックアップローラ１１ａ、手差しピックアップローラ１１ｂ、レジスト前ローラ１２ａ、レジストローラ１３、２次転写装置１０、定着装置７、および排紙ローラ１２ｂが配置されている。反転経路Ｓ２は、定着装置７と排紙ローラ１２ｂとの間から分岐し、反転搬送ローラ１２ｃおよび反転搬送ローラ１２ｄを経由してレジスト前ローラ１２ａとレジストローラ１３との間に再合流する。
【００３２】
ピックアップローラ１１ａは、給紙トレイ８１の端部近傍に備えられ、給紙トレイ８１から用紙を１枚ずつ用紙搬送経路Ｓに供給する呼び込みローラである。レジストローラ１３は、給紙トレイ８１から搬送されている用紙を一旦保持し、感光体ドラム３上のトナー像の先端と用紙の先端とを合わせるタイミングで用紙を転写ローラ１０ａに搬送する。レジスト前ローラ１２ａは、用紙の搬送を促進補助するための小型のローラである。
【００３３】
定着装置７では、定着ローラ７１に加圧ローラ７２が押圧され、定着ローラ７１を加熱する加熱部７３を備えている。定着装置７では、未定着のトナー像が形成された用紙を受け取り、用紙を定着ローラ７１と加圧ローラ７２との間に挟み込んで搬送する。定着後の用紙は、排紙ローラ１２ｂによって排紙トレイ９１上に排出される。なお、定着装置７については、後述する図２ないし図４を参照して詳細を説明する。
【００３４】
また、用紙の表面だけでなく、裏面に画像形成を行う場合は、用紙を排紙ローラ１２ｂから反転経路Ｓ２へと逆方向に搬送して、用紙の表裏を反転させ、用紙をレジストローラ１３へと再度導き、表面と同様にして裏面に画像形成を行い、用紙を排紙トレイ９１へと搬出する。
【００３５】
上述した画像読取装置９０（画像形成装置１００）は、生成した文書データＢＤを編集する文書編集装置２０を備えている。以下では、文書編集装置２０について、図面を参照して詳細に説明する。
【００３６】
図２は、本発明の実施の形態に係る文書編集装置の概略構成図である。
【００３７】
本発明の実施の形態に係る文書編集装置２０は、制御部２１、操作部２２、表示部２３、ＨＤＤ２４、およびＲＯＭ２５を備えた構成とされている。
【００３８】
制御部２１は、ＣＰＵ（中央処理装置）であって、文書編集装置２０の動作を制御する。具体的に、制御部２１は、ＲＯＭ２５に記憶されたプログラムを読み出して実行する。なお、制御部２１によって、画像読取装置９０および画像形成装置１００を制御する構成としてもよい。つまり、画像形成装置１００、画像読取装置９０、および文書編集装置２０で共通の制御部２１を用いてもよい。
【００３９】
操作部２２は、各種操作キーやスイッチであって、ユーザから文書編集装置２０への入力操作を受け付ける。なお、操作部２２は、これに限定されず、文書編集装置２０に接続された外部キーボードを含む構成としてもよい。
【００４０】
表示部２３は、ディスプレイであって、文書データＢＤ等を表示する。なお、表示部２３は、これに限定されず、文書編集装置２０に接続された外部ディスプレイを含む構成としてもよい。
【００４１】
ＨＤＤ２４は、各種データを記憶するストレージデバイスであって、文書データ記憶部２４ａおよび編集項目記憶部２４ｂを含む構成とされている。文書データ記憶部２４ａは、画像読取装置９０によって生成された文書データＢＤに加えて、外部から受信した文書データＢＤを記憶する。編集項目記憶部２４ｂは、ユーザによって予め設定された編集項目ＨＫを記憶する。なお、編集項目ＨＫについては、後述する図３および図４を参照して、詳細に説明する。
【００４２】
ＲＯＭ２５は、処理プログラムを記憶するメモリーであって、検出部２５ａ、編集部２５ｂ、および文字認識部２５ｃをプログラムとして記憶している。検出部２５ａは、予め設定された編集項目ＨＫを文書データＢＤから検出する。編集部２５ｂは、検出部２５ａの検出結果に基づいて、文書データＢＤを編集する編集処理を実施する。文字認識部２５ｃは、文書データＢＤの文字を認識する。なお、検出部２５ａ、編集部２５ｂ、および文字認識部２５ｃの具体的な処理については、編集項目ＨＫと併せて、詳細に説明する。
【００４３】
文書編集装置２０は、上述した各構成のほか、電源やＲＡＭなどを備えていてもよい。また、文書編集装置２０の各構成については、画像読取装置９０（画像形成装置１００）と共通に用いられていてもよい。
【００４４】
本発明に係る文書編集装置２０は、以下に示す３つの文書編集方法を備えている。そこで、第１実施形態ないし第３実施形態に係る文書編集方法における編集処理について、それぞれ図面を参照して説明する。
【００４５】
（第１実施形態）
図３は、文書データの一例である第１文書データを示す説明図である。
【００４６】
第１文書データＢＤ１は、第１実施形態に係る文書編集方法によって編集処理される文書データの一例である。第１文書データＢＤ１（文書データＢＤ）は、複数の章および目次を含み、予め設定されたサイズで区切られたページ単位で構成されており、本実施の形態では、第１ページＰ１、第２ページＰ２、第３ページＰ３、および第４ページＰ４を含む４ページで構成され、それぞれのページには、順番を示すページ番号（第１ページ番号ＰＢ１ないし第４ページ番号ＰＢ４）が付されている。また、第１文書データＢＤ１は、目次と３つの章とで構成されている。
【００４７】
文字認識部２５ｃは、文書データＢＤに対して文字認識を行うことで、文書データＢＤに含まれる文字を読み取る。つまり、文書データＢＤが文字列も含めて画像とされている場合であっても、文字認識部２５ｃを介することで、文書データＢＤに含まれている内容を把握することができる。
【００４８】
第１ページＰ１は、目次とされており、目次であることを示す目次表示ＭＨと、３つの章のそれぞれに対応した第１目次項目ＭＫ１、第２目次項目ＭＫ２、および第３目次項目ＭＫ３と、第１ページ番号ＰＢ１とを含む構成とされている。第１目次項目ＭＫ１は、「１章  ○○○○  Ｐ．２」と表示されており、１章のタイトルと、１章に対応しているページ番号とを示している。第２目次項目ＭＫ２および第３目次項目ＭＫ３は、第１目次項目ＭＫ１に類似した表示とされ、２章または３章のタイトルと、２章または３章に対応しているページ番号とを示している。つまり、第２目次項目ＭＫ２は、「２章  ○○○○○  Ｐ．２」と表示され、第３目次項目ＭＫ３は、「３章  ○○○○  Ｐ．４」と表示されている。
【００４９】
第２ページＰ２は、１章の内容を示す第１章項目ＳＫ１と、２章の内容を示す第２章項目ＳＫ２の一部と、第２ページ番号ＰＢ２とを含む構成とされている。
【００５０】
第３ページＰ３は、２章の内容を示す第２章項目ＳＫ２の一部と、第３ページ番号ＰＢ３とを含む構成とされている。つまり、２章は、第２ページＰ２と第３ページＰ３とに跨って表示されている。また、第２章項目ＳＫ２は、編集項目ＨＫを含んでおり、本実施の形態において、編集項目ＨＫは、文字列とされている。編集項目ＨＫを含む場合の処理については、後述する図４と併せて、詳細に説明する。
【００５１】
第４ページＰ４は、３章の内容を示す第３章項目ＳＫ３と、第４ページ番号ＰＢ４とを含む構成とされている。
【００５２】
なお、以下では説明のため、第１目次項目ＭＫ１、第２目次項目ＭＫ２、および第３目次項目ＭＫ３を併せて目次項目と呼ぶことがあり、第１章項目ＳＫ１、第２章項目ＳＫ２、および第３章項目ＳＫ３を併せて章項目と呼ぶことがある。
【００５３】
上述した編集項目ＨＫは、検出部２５ａによって有無が検出され、いずれの部分に含まれているかを判断される。文書データＢＤに編集項目ＨＫが含まれていると判断された場合には、編集部２５ｂによって、編集処理が実施される。
【００５４】
図４は、文書データの一例である第２文書データを示す説明図である。
【００５５】
第２文書データＢＤ２は、図３に示す第１文書データＢＤ１に対して、編集処理が実施された後の状態である。編集処理によって、編集項目ＨＫを含む第２章項目ＳＫ２が削除され、第２章項目ＳＫ２に関連する第２目次項目ＭＫ２が削除されている。
【００５６】
具体的に、第１ページＰ１は、目次表示ＭＨと、第１目次項目ＭＫ１と、第３目次項目ＭＫ３と、第１ページ番号ＰＢ１とを含む構成とされている。第２ページＰ２は、第１章項目ＳＫ１と、第２ページ番号ＰＢ２とを含む構成とされている。第３ページＰ３は、第３ページ番号ＰＢ３だけで構成された白紙のページとなっている。ここで、第３ページＰ３には、第３ページ番号ＰＢ３が含まれているが、本実施の形態において、ページ番号の有無に拘わらず、目次項目や章項目などを含まない場合には、白紙のページであると判断される。第４ページＰ４は、第３章項目ＳＫ３と、第４ページ番号ＰＢ４とを含む構成とされており、第１文書データＢＤ１に対して変化していない。
【００５７】
上述したように、編集部２５ｂは、検出部２５ａによって検出された編集項目ＨＫを含む章を削除し、編集項目ＨＫが削除された章に関連する項目を目次から削除する。従って、編集したい項目が設定されていれば、ユーザによって個別に指定されることなく、文書から削除することができる。なお、編集処理においては、目次項目や章項目をユーザに見えないようにすればよく、対象となる項目を非表示とするように設定してもよい。
【００５８】
また、図３では、章項目に編集項目ＨＫが含まれている場合を示したが、目次項目に編集項目ＨＫが含まれている場合も同様にして、目次項目に対応する章を削除すればよい。つまり、文書データＢＤにおける章は、章項目とそれに対応する目次項目とを含む構成されており、例えば、１章の場合には、第１目次項目ＭＫ１と第１章項目ＳＫ１とで構成されている。
【００５９】
（第２実施形態）
図５は、文書データの一例である第３文書データを示す説明図である。なお、第１実施形態と機能が実質的に等しい構成要素については、同一の符号を付して説明を省略する。
【００６０】
第３文書データＢＤ３は、第２実施形態に係る文書編集方法によって編集処理される文書データの一例である。第３文書データＢＤ３は、第１文書データＢＤ１に対して、第３ページＰ３に含まれる内容が異なっており、第２章項目ＳＫ２は編集項目ＨＫを含んでいない。第３ページＰ３は、第２章項目ＳＫ２の一部と、第３ページ番号ＰＢ３とに加えて、図面や画像等で構成された章画像ＳＺを含む構成とされている。
【００６１】
本実施の形態において、編集項目ＨＫは、画像とされており、章画像ＳＺが編集項目ＨＫとして設定されている。章画像ＳＺは、第２章項目ＳＫ２と併記されており、検出部２５ａには、第３文書データＢＤ３において、２章に編集項目ＨＫが含まれていると判断される。そして、編集部２５ｂによって、２章に関連する項目が削除された結果、第３文書データＢＤ３は、図４に示す第２文書データＢＤ２のように処理される。
【００６２】
上述したように、編集項目ＨＫは、文字列だけに限定されず、画像であってもよい。また、編集項目ＨＫとして複数の項目が設定されていてもよく、複数の編集項目ＨＫが検出された場合には、編集項目ＨＫを含む全ての章を削除する。
【００６３】
（第３実施形態）
図６は、文書データの一例である第４文書データを示す説明図である。なお、第１実施形態および第２実施形態と機能が実質的に等しい構成要素については、同一の符号を付して説明を省略する。
【００６４】
第４文書データＢＤ４は、第３実施形態に係る文書編集方法によって編集処理された後の文書データの一例である。第４文書データＢＤ４は、第２文書データＢＤ２に対して、さらに編集処理を施した状態であって、第１ページＰ１、第２ページＰ２、および第４ページＰ４の３ページで構成されており、第３ページＰ３が削除されている。
【００６５】
具体的に、第１ページＰ１は、第２文書データＢＤ２と同様に、目次表示ＭＨと、第１目次項目ＭＫ１と、第３目次項目ＭＫ３と、第１ページ番号ＰＢ１とを含む構成とされているが、第３目次項目ＭＫ３は、表示が異なっており、「３章  ○○○○  Ｐ．３」と表示されている。また、第４ページＰ４の第４ページ番号ＰＢ４について、第２文書データＢＤ２では、「Ｐ．４」と表示されているのに対して、第４文書データＢＤ４では、「Ｐ．３」と表示されている。つまり、本実施の形態における編集処理では、文書データＢＤを編集した際、白紙となった第３ページＰ３を削除するのに併せて、ページ番号を修正している。上述したように、不要となった白紙のページを自動的に削除することで、ユーザの利便性を向上させることができる。また、ページ番号を自動的に修正することで、ページを削除したことによるページ番号のズレを補正し、ユーザに与える違和感を解消することができる。
【００６６】
上述した第１実施形態ないし第３実施形態に係る文書編集方法は、以下に示す処理フローに基づいて実施される。次に、文書編集装置２０における文書編集方法の処理フローについて、図面を参照して説明する。
【００６７】
図７は、文書編集装置における文書編集方法の処理フローを示すフロー図である。
【００６８】
ステップＳ０１では、検出部２５ａによって、文書データＢＤが参照され、編集項目ＨＫが検出される。なお、文書データＢＤの形式に応じて、文字認識部２５ｃによる文字認識を適宜実施することで、文書データＢＤの文字列を把握することができる。
【００６９】
ステップＳ０２では、編集部２５ｂによって、編集項目ＨＫを含む章が削除される。例えば、第１文書データＢＤ１および第３文書データＢＤ３から、第２文書データＢＤ２へと編集される。
【００７０】
ステップＳ０３では、編集部２５ｂによって、白紙となったページが削除される。ステップＳ０４では、編集部２５ｂによって、ステップＳ０５では、編集部２５ｂによって、削除した章が目次から削除される。ステップＳ０６では、編集部２５ｂによって、目次のページ番号が修正され、処理を終了する。つまり、ステップＳ０３ないしステップＳ０６を経過することで、例えば、第２文書データＢＤ２から、第４文書データＢＤ４へと編集される。なお、白紙となったページが存在しない場合には、ステップＳ０３、ステップＳ０４、およびステップＳ０６を省略すればよい。また、第１実施形態および第２実施形態では、ステップＳ０３、ステップＳ０４、およびステップＳ０６を省略してもよい。
【００７１】
編集処理が終了した文書データＢＤは、制御部２１の指示に応じて適宜出力され、画像形成装置１００によって用紙に画像形成されたり、表示部２３に表示されたりする。
【００７２】
上述したように、本発明に係る文書編集方法は、複数の章および目次で構成された文書データＢＤを編集する文書編集方法であって、文書データ記憶部２４ａに、文書データＢＤを記憶させる文書データ記憶ステップと、検出部２５ａに、予め設定された編集項目ＨＫを文書データＢＤから検出させる検出ステップと、編集部２５ｂに、検出部２５ａの検出結果に基づいて、文書データＢＤを編集する編集処理を実施させる編集ステップとを含んでいる。編集ステップは、検出部２５ａによって検出された編集項目ＨＫを含む章を削除し、編集項目ＨＫが削除された章に関連する項目を目次から削除する。
【００７３】
図２では、文書編集装置２０が画像形成装置１００に設けられた構成を示したが、これに限定されず、ネットワークを介して文書編集装置２０と画像形成装置１００との間で通信を行う構成としてもよい。以下では、文書編集装置２０がサーバ３１に設けられた構成について、図面を参照して説明する。
【００７４】
図８は、ネットワークを介して複数の端末に接続されたサーバを示す概略構成図である。
【００７５】
ネットワーク３３には、複数の端末３２（画像形成装置１００）と、サーバ３１（文書編集サーバの一例）とを接続することで、文書編集システムが構成されている。サーバ３１は、文書編集装置２０と、端末３２との間で文書データＢＤを送受信するサーバ通信部３１ａ（通信部の一例）とを備えている。端末３２は、サーバ通信部３１ａと同様の機能を備えた端末通信部３２ａが設けられている。
【００７６】
文書編集システムにおいては、先ず、端末３２で原稿を読み取るなどして形成された文書データＢＤがサーバ３１へ送信される。サーバ３１では、編集部２５ｂが端末３２から受信した文書データＢＤに対し、編集処理を実施して編集済文書データ（文書データＢＤの一例）を出力する。そして、サーバ通信部３１ａは、編集済文書データを端末３２へ送信することで、端末３２では、編集処理された文書データＢＤを表示することができる。このように、端末３２ではなくサーバ３１で編集処理を行う構成とすることで、複数の端末３２毎に文書編集装置２０を設ける必要がなく、端末３２の構成を簡略化することができる。また、編集処理の処理時間の短縮を行うには、サーバ３１のＣＰＵ等を高性能とすることが望ましいが、端末３２では、編集処理を行う必要が無いので、端末３２の性能に対する要求が緩和される。
【００７７】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００７８】
２０  文書編集装置
２１  制御部
２２  操作部
２３  表示部
２４  ＨＤＤ
２４ａ  文書データ記憶部
２４ｂ  編集項目記憶部
２５  ＲＯＭ
２５ａ  検出部
２５ｂ  編集部
２５ｃ  文字認識部
３１  サーバ（文書編集サーバの一例）
３２  端末
３３  ネットワーク
ＢＤ  文書データ
ＨＫ  編集項目
９０  画像読取装置
１００  画像形成装置
【図１】
2017062613.tif 000003
【図２】
2017062613.tif 000004
【図３】
2017062613.tif 000005
【図４】
2017062613.tif 000006
【図５】
2017062613.tif 000007
【図６】
2017062613.tif 000008
【図７】
2017062613.tif 000009
【図８】
2017062613.tif 000010